(57)【要約】【課題】電源オフ後に所定の操作をしないと電源スイッチを入れても電源が入らないようにしたプロジェクタを提供する。【解決手段】投射レンズ１３ａ及び光源１１を少なくとも含み、映像を拡大投射する映像投射部１１、１２、１３と、投射レンズ１３ａを開閉するレンズカバー３１と、レンズカバー３１の開閉状態を検出するレンズカバー検出部３２と、映像投射部１１、１２、１３に電源を供給する電源回路３６と、電源回路３６の電源をオン・オフするリモコンＲＣと、電源回路３６を制御する制御部２０とを備える。制御部２０はレンズカバー３１の開閉動作と電源操作部の操作との組合せにより電源回路３６制御を行う。【選択図】図１
2008116628.tif 000002
【特許請求の範囲】
【請求項１】
少なくとも投射レンズ及び光源を備え、映像を拡大投射する映像投射部と、
前記投射レンズの前方を開閉するレンズカバーと、
前記レンズカバーの開閉状態を検出する検出部と、
前記映像投射部に電源を供給する電源部と、
前記電源部の電源をオン・オフする電源操作部と、 
前記電源部を制御する制御部とを備え、
前記制御部は、
前記レンズカバーの開閉動作と前記電源操作部の操作との組合せにより前記電源部の制御を行うことを特徴とするプロジェクタ。
【請求項２】
前記開閉動作及び前記操作との組合せによる複数のステータスを保持する記憶部を更に備え、
前記記憶部には、前記ステータスのいずれか１つを排他的に設定することを特徴とする請求項１に記載のプロジェクタ。
【請求項３】
前記複数のステータスは、前記映像投射部への電源供給時に設定される電源オン、電源オン時に電源オフの操作が入力され、電源遮断時に設定される電源オン保留、及び前記電源オン保留時に前記レンズカバーが閉動作した時に設定される電源オフからなり、
前記制御部は、
電源オン操作時に、前記電源オフのステータスが設定されており、且つ、前記検出部が前記レンズカバーの開状態を検出すると、前記電源部に対して前記映像投射部への電源供給の指示を行い、前記電源オンのステータスを設定することを特徴とする請求項２記載のプロジェクタ。
【請求項４】
前記制御部は、
電源オフ操作時に、前記電源オンのステータスが設定されているときは、前記電源部に対して前記映像投射部への電力供給停止の指示を行い、前記電源オン保留のステータスを設定することを特徴とする請求項３記載のプロジェクタ。
【請求項５】
前記制御部は、
前記電源オン保留のステータスが設定されている状態で、前記検出部がレンズカバーの閉状態を検出すると、前記電源オフのステータスを設定することを特徴とする請求項３又は４記載のプロジェクタ。
【請求項６】
表示手段を更に備え、
前制御部は、前電源オン保留のステータスが設定されていると、その状態を表示手段に表示させることを特徴とする請求項３〜５の何れかに記載のプロジェクタ。
【発明の詳細な説明】
【技術分野】
【０００１】
本発明はプロジェクタに関し、特に、電源キーの操作時の処理に関する。
【背景技術】
【０００２】
従来、プロジェクタを床に置いて使用する際に、幼児等が誤って操作して電源が入り、投射レンズを覗き込んで目を傷める危険があった。このため、電源スイッチを長押ししないと電源が入らないようなものが良く使われているが、幼児が電源スイッチを長押しする可能性があり、この方法では防げない。
【０００３】
このようなことから、例えば「映像信号に基づいて画像を表示する透過型表示手段を光源によって照明し、該透過型表示手段を透過した画像光を投影レンズを介して拡大投影するビデオプロジェクタにおいて、ビデオプロジェクタのキャビネットに対して前記投影レンズを進退自在に配設するとともに、使用時にはキャビネット内から投影位置まで前記投影レンズを伸長させ、未使用時にはキャビネット内に前記投影レンズを収納可能に構成し、前記投影レンズの進退移動に連動してビデオプロジェクタの電源スイッチをＯＮ／ＯＦＦさせるようにした…」ものが提案されている（例えば特許文献１参照）。また、映像表示装置に入力信号がないときに専用の映像に自動的に切り替えて表示させるようにしたものも提案されている。
【特許文献１】特開平６−６７１４４号公報（特許請求の範囲）
【発明の開示】
【発明が解決しようとする課題】
【０００４】
上記の特許文献１において提案されているものにおいても、投射終了後に投射レンズを指定位置まで戻すのを忘れると、電源が容易に入れられてしまうという問題点がある。また、映像表示装置に入力信号がないときに専用の映像に自動的に切り替える方法においても、投射レンズを覗き込むと目を傷める危険があるという問題点がある。更に、開閉式のレンズカバーにより保護することも考えられるが、使用後のクールダウンが終わった後で、レンズカバーを閉じるのを忘れると、幼児等により簡単に電源スイッチを入れられてしまうという問題点がある。
【０００５】
本発明は、上記のような問題点を解決するためになされたものであり、電源オフ後に所定の操作をしないと電源スイッチを入れても電源が入らないようにして、上記のような事故が発生しないようにしたプロジェクタを提供することを目的とする。
【課題を解決するための手段】
【０００６】
本発明に係るプロジェクタは、少なくとも投射レンズ及び光源を備え、映像を拡大投射する映像投射部と、前記投射レンズの前方を開閉するレンズカバーと、前記レンズカバーの開閉状態を検出する検出部と、前記映像投射部に電源を供給する電源部と、前記電源部の電源をオン・オフする電源操作部と、前記電源部を制御する制御部とを備え、前記制御部は、前記レンズカバーの開閉動作と前記電源操作部の操作との組合せにより前記電源部の制御を行う。本発明においては、レンズカバーの開閉動作と電源操作部の操作との組合せにより前記電源部の制御を行う。例えば、電源操作部から電源オフの操作信号を入力すると電源供給を停止し、その後に、検出部がレンズカバーの閉状態及び開状態を検出した段階で、電源操作部から電源オンの操作信号を入力すると、電源供給を開始する。このため、光源への電源供給を停止させてプロジェクタによる映像の投射を停止した後は、レンズカバーが例えば閉状態及び開状態を経なければプロジェクタによる映像の投射が開始できないようにしており、電源オフ後にそのままの状態で電源オン操作をしても光源に電源が供給されなくなる。このため、幼児等が誤って操作しても光源に電源が供給されなくなり、投射レンズを覗き込んで目を傷めるような危険がなくなる。
【０００７】
また、本発明に係るプロジェクタは、前記開閉動作及び前記操作との組合せによる複数のステータスを保持する記憶部を更に備え、前記記憶部には、前記ステータスのいずれか１つを排他的に設定する。なお、本発明において、何れか１つのステータスが排他的に設定されるとは、或る１つのステータスが設定されると、他のステータスは設定が解除（リセット）されることをいうものとする。
【０００８】
また、本発明に係るプロジェクタにおいて、前記複数のステータスは、前記映像投射部への電源供給時に設定される電源オン、電源オン時に電源オフの操作が入力され、電源遮断時に設定される電源オン保留、及び前記電源オン保留時に前記レンズカバーが閉動作した時に設定される電源オフからなり、前記制御部は、電源オン操作時に、前記電源オフのステータスが設定されており、且つ、前記検出部が前記レンズカバーの開状態を検出すると、前記電源部に対して前記映像投射部への電源供給の指示を行い、前記電源オンのステータスを設定する。本発明においては、上記のように、電源オン、電源オン保留及び電源オンの各ステータスを設け、これらのステータスを利用して上記の制御を行うようにしたので、簡単な処理で本発明の目的を達成することができる。
【０００９】
また、本発明に係るプロジェクタにおいて、前記制御部は、電源オフ操作時に、前記電源オンのステータスが設定されているときは、前記電源部に対して前記映像投射部への電力供給停止の指示を行い、前記電源オン保留のステータスを設定する。このため、電源オフ操作時には電源オン保留のステータスが設定されるので、その後に、電源オフのステータスを経由しなければ電源供給が行われないので、電源オフ後に、幼児等が誤って電源オン操作をしても電源が供給されなくなり、投射レンズを覗き込んで目を傷めるような危険がなくなる。
【００１０】
また、本発明に係るプロジェクタにおいて、前記制御部は、前記電源オン保留のステータスが設定されている状態で、前記検出部がレンズカバーの閉状態を検出すると、前記電源オフのステータスを設定する。本発明においては、電源オン保留のステータスが設定されている状態で、検出部がレンズカバーの閉状態を検出すると電源オフのステータスを設定するようにしており、例えば光源への電源供給を停止させてプロジェクタによる映像の投射を停止した後は、例えばレンズカバーの閉状態等を経なければプロジェクタによる映像の投射が開始できなくなり、電源オフ後に、幼児等が誤って電源オン操作をしても電源が供給されなくなる。
【００１１】
また、本発明に係るプロジェクタは、表示手段を更に備え、前制御部は、前電源オン保留のステータスが設定されていると、その状態を表示手段に表示させる。本発明においては、電源オン保留のステータスが設定されているときは表示手段に表示させるようにしているので、次に、レンズカバーを閉じてからでないと、電源が投入できないことをユーザーに示唆することが可能になっている。
【発明を実施するための最良の形態】
【００１２】
図１は、本発明の実施形態１に係るプロジェクタの構成を示すブロック図である。プロジェクタ１は、光源１１と、光源１１から射出した光を変調する空間光変調装置としての３枚の液晶ライトバルブ１２Ｒ，１２Ｇ，１２Ｂ（これらを総称するときは、液晶ライトバルブ１２という）と、液晶ライトバルブ１２から射出する変調光をスクリーンＳＣに拡大投写する投射光学系１３と、液晶ライトバルブ１２を駆動する液晶ライトバルブ駆動部１４とを備えている。液晶ライトバルブ１２には、複数の画素（図示せず）がマトリクス状に形成されており、液晶ライトバルブ駆動部１４が、外部の映像信号供給装置ＰＣから供給される映像信号に基づいて各画素の透過率を調整することにより映像信号に応じた映像を描画しそれによる変調光をスクリーンＳＣに表示させる。また、投射光学系１３には、投射光の焦点を変更可能なフォーカス機構、投射光の拡大率を変更可能なズーム機構等が備えられている（何れも図示を省略）。なお、液晶ライトバルブ１２は、上記のように、３枚の液晶ライトバルブ１２Ｒ，１２Ｇ，１２Ｂから構成され、Ｒ（赤）、Ｇ（緑），Ｂ（青）の各色光を変調する。光源１１から射出した光は、図示しない色光分離光学系によって各色光に分離された後、対応する液晶ライトバルブ１２Ｒ，１２Ｇ，１２Ｂによって変調され、合成光学系（図示せず。例えばクロスダイクロックプリズム）により合成された後に、投射光学系１３により拡大投写される。
【００１３】
プロジェクタ１は、更に、プロジェクタ１の動作を統括制御する制御部２０、制御部２０に接続された記憶部２１、操作信号処理部２２、映像入力部２３、映像信号処理部２４、台形歪み補正処理部２５、フォーカス制御部２６及びズーム制御部２７を備えている。操作信号処理部２２には操作パネル２８が接続されており、操作信号処理部２２は、プロジェクタ１の状態変更等を行うための各種スイッチ類からなる操作パネル２８やリモコンＲＣから、ユーザによる操作に応じた操作信号を受信し、これを制御部２０に出力する。制御部２０は、例えばマイクロプロセッサ等の信号処理回路により構成され、内蔵する記憶部（図示せず）又は記憶部２１に格納された制御プログラムを実行するものであり、例えば操作信号処理部２２からの操作信号に基づいて、映像信号処理部２４、台形歪み補正処理部２５、フォーカス制御部２６及びズーム制御部２７をそれぞれ制御する。また、制御部２０に接続された記憶部２１には、上記の制御プログラムを記憶するとともに、プロジェクタ１の各種設定値等（例えメニュー映像データ）が記憶される。
【００１４】
映像入力部２３は、外部の映像信号供給装置ＰＣからの映像信号を取り込んで、それが例えばアナログの映像信号の場合にはデジタルの映像信号に変換する等、入力映像信号に対応した各種信号処理を施して映像信号処理部２４に出力する。映像信号処理部２４は、例えばマイクロプロセッサ（例えばＤＳＰ）等の信号処理回路から構成され、それに内蔵した記憶部に格納された制御プログラムを実行することにより後述の各種の処理をする。また、映像信号処理部２４にはフレームメモリ２９が接続されており、映像入力部２３からの映像信号を１フレーム（１映像画面）毎にフレームメモリ２９に記憶させるとともに、フレームメモリ２９に記憶された映像（以下、フレーム映像ともいう）を読み出す機能を有し、また、映像信号の解像度を液晶ライトバルブ１２の解像度に合わせる解像度変換処理等の各種の信号処理を施す。また、この映像信号処理部２４はＯＳＤ処理部をする機能を備えており、制御部２０の制御命令に従って、プロジェクタ１の各種状態を表す文字や記号、画質調整を行う際のメニュー映像のＯＳＤ映像信号をフレーム映像信号と合成する処理を行う。具体的には、制御部２０が例えば記憶部２１からメニュー映像データ等を読み出して映像信号処理部２４に供給し、映像信号処理部２４はそのメニュー映像データによりＯＳＤ映像信号を生成し、このＯＳＤ映像信号をフレーム映像信号と合成する。ＯＳＤ処理をしない場合には、フレーム映像信号がそのまま出力されることになる。上記のＯＳＤ処理によりメニュー画像が表示されると、ユーザーはメニュー画像に従ってプロジェクタ１の各部の機能を設定又は調整することになる。なお、上記の光源１１、液晶ライトバルブ１２、投射光学系１３及び液晶ライトバルブ駆動部１４は、本発明の映像投射部を構成している。
【００１５】
台形歪み補正処理部２５は、スクリーンＳＣに対してプロジェクタ１を傾けた状態で投写（あおり投写）した場合に生じる台形歪を抑制するために、入力される映像信号の補正を行い、補正した映像信号を液晶ライトバルブ駆動部１４に出力する。なお、台形歪が生じていない場合には、前記の補正を行わず、映像信号処理部２４から出力される映像信号がそのまま液晶ライトバルブ駆動部１４に供給され、液晶ライトバルブ駆動部１４は、入力される映像信号に従って液晶ライトバルブ１２を駆動する。ところで、本実施形態においては台形歪み補正は手動によってなされるが、それは次のようにしてなされる。例えばユーザーがリモコンＲＣを操作し、台形補正の操作信号を操作信号処理部２２が入力すると、制御部２０はその操作信号を取り込んで台形歪み補正処理部２５に台形補正処理の制御命令を出力し、台形歪み補正処理部２５は、その制御命令に基づいて映像信号処理部２４からの映像信号に台形補正（キーストン補正）処理を施し、スクリーンＳＣ上に表示される映像の台形歪みを補正する。なお、リモコンＲＣ及び操作パネル２８には、図示を省略するが、電源キー、台形補正キー、手元照明・角度変更キー等の各種のキーが設けられておいる（これは本発明の電源操作部に相当する。）また、操作パネル２８には上記に加えて、例えばＬＥＤからなる表示部２８ａが設けられており、これは後述の「電源オン保留」のステータスにあるときにその状態を表示する。
【００１６】
フォーカス制御部２６は、制御部２０からの指示に従って投射光学系１３のフォーカス機構を駆動する。具体的には、投射光学系１３を構成するフォーカスレンズを光軸方向に移動させることにより、フォーカス状態を調整することが可能になっている。また、フォーカス制御部２６は、フォーカスの調整量、即ちフォーカスレンズの移動量（フォーカス量）を検知することも可能になっており、検知したフォーカス量を制御部２０に出力することができる。フォーカス量を検知する方法としては、フォーカスレンズを光軸方向に移動させるための回転カム機構（図示せず）の回転量を検出するロータリエンコーダやポテンショメータ等の検知機構を用いることができる。或いは、フォーカス機構の駆動源であるステッピングモータのステップ数に基づいてフォーカス量を検知するようにしてもよい。
【００１７】
ズーム制御部２７は、制御部２０からの指示に従って投射光学系１３のズーム機構を駆動する。具体的には、投射光学系１３を構成するズームレンズを光軸方向に移動させて焦点距離を変更することにより、スクリーンＳＣに表示される映像の拡大率を変更することが可能になっている。また、ズーム制御部２７は、焦点距離、即ちズームレンズの移動量（ズーム量）を検知するズーム量検知部としても機能し、検知されたズーム量を制御部２０に出力することができる。ズーム量を検知する方法としては、フォーカス量を検知する方法と同様、ズームレンズを光軸方向に移動させるための回転カム機構（図示せず）の回転量を検出するロータリエンコーダやポテンショメータ等の検知機構によって検知してもよいし、ズーム機構の駆動源であるステッピングモータのステップ数に基づいて検知するようにしてもよい。
【００１８】
また、プロジェクタ１は、投射レンズ１３ａの前方をスライド自在に開閉するレンズカバー３１が設けられている（詳細は図２等により説明する）。このレンズカバー３１の開閉はリミットスイッチ等により構成されるレンズカバー検出手段３２により検出される。このレンズカバー検出手段３２は本発明の検出手段を構成するものであり、その検出信号は制御部２０に供給される。制御部２０は、レンズカバー検出手段３２からの検出信号及び操作信号処理部２２からの操作信号（電源オン・オフ）に基づいて後述の各種の処理を行う。
【００１９】
また、プロジェクタ１は、光源１１を点灯制御するためのランプ駆動部３３、ファン駆動部３４、ファン３５、及び電源回路３６を備えている。ファン３５は主として光源１１を冷却するものであり、光源１１が点灯しているときや、消灯してクーリングするときに駆動される。また、電源回路３６は例えばプロジェクタ１を商用電源に接続すると、各種回路用の電圧Ｖ１を出力し、ランプ駆動部３３及びファン駆動部３４以外の各回路に駆動電圧して供給する。電源回路３６は、制御部２０からの制御信号に基づいて電圧Ｖ２，Ｖ３をランプ駆動部３３及びファン駆動部３４にそれぞれ駆動電圧として供給する。なお、電源回路３６は本発明の電源部を構成している。
【００２０】
図２は、図１のプロジェクタの斜視図である。レンズカバー３１は、図示のように、スライドにされて移動し、投射レンズ１３ａの前方を開閉する。なお、図示を省略したが、このレンズカバー３１の開閉状態を検出するレンズカバー検出手段３２がプロジェクタ本体の内部に取り付けられている。
【００２１】
図３は電源投入の状態を示すステータスの説明図であり、これは記憶部２１内に設定される。このステータスには、「電源オン」、「電源オン保留」及び「電源オフ」の３つがあり、何れか１つが排他的に成立する。「電源オン」は電源キーの操作により電源が投入された映像が投射される際に設定されるステータスであり、「電源オン保留」は「電源オン」が設定されている状態で、電源キーの操作により電源が遮断されるときに設定されるステータスである。「電源オフ」は「電源オン保留」が設定されている状態で、レンズカバー３１が閉じられたときに設定されるステータスである。図示の例では、電源オフのステータスが設定されている状態が示されている。
【００２２】
次に、本実施形態に係るプロジェクタの動作を説明する。
図４は電源キーの操作を検出した時の処理を示すフローチャートである。
ユーザーが例えばリモコンＲＣの電源キーを操作すると、その操作信号は操作信号処理部２２を介して制御部２０に入力される。制御部２０が電源キーの操作信号を検出すると、制御部２０は図３の「電源オン」が設定されているかどうかを判定し（Ｓ１１）、「電源オン」が設定されていない場合には、次に、「電源オン保留」が設定されているかどうかを判定し（Ｓ１２）、「電源オン保留」が設定されていないと判定した場合には（この状態では「電源オフ」が設定されている）、次に、レンズカバー３１が開いているかどうかをレンズカバー検出手段３２の出力に基づいて判定する（Ｓ１３）。レンズカバー３１が開いていると判定した場合には、電源回路３６に制御信号（電力供給の指示）を供給して電圧Ｖ２及びＶ３を出力させ、ランプ駆動部３３により光源１１を点灯させるとともに、ファン駆動部３４によりファン３５を駆動させる。更に、「電源オン」を設定する（Ｓ１４）。この状態で、映像入力部２３が、映像供給装置ＰＣから映像信号を入力すると、入力映像信号に対応した各種信号処理を施して映像信号処理部２４に出力し、映像信号処理部２４は映像入力部２３からの映像信号を表示用の映像信号にするための各種の処理をして台形歪み補正処理部２５に出力する。台形歪み補正処理部２５は、映像信号の台形補正を行い、補正した映像信号を液晶ライトバルブ駆動部１４に出力し、液晶ライトバルブ駆動部１４は、入力された映像信号に従って液晶ライトバルブ１２を駆動して各画素の透過率を調整することにより映像信号に応じた映像を描画しそれによる変調光を投射光学系１３によりスクリーンＳＣに投射させることにより入力映像信号に対応した映像を表示させる。
【００２３】
次に、プロジェクタ１が上記のように映像をスクリーンＳＣに投射している状態で、ユーザーが例えばリモコンＲＣの電源キーを操作すると、その操作信号は操作信号処理部２２を介して制御部２０に入力される。制御部２０が電源キーの操作信号を検出すると、制御部２０は図３の「電源オン」が設定されているかどうかを判定し（Ｓ１１）、「電源オン」が設定されていると判定した場合には、制御部２０はランプ駆動部３３に制御信号を供給して光源１１を消灯させるとともに、ファン駆動部３４に制御信号を供給して所定時間その駆動を継続させてクールダウンさせる。その後、制御部２０は電源回路３６に対して制御信号（電源供給停止の指示）を供給して電圧Ｖ２及びＶ３の出力を停止させる（Poweroff）（Ｓ１５）。そして、制御部２０は、「電源オン保留」を設定する（Ｓ１６）。
【００２４】
例えば上記のように「電源オン保留」が設定された後に、ユーザーがリモコンＲＣの電源キーを操作すると、その操作信号は操作信号処理部２２を介して制御部２０に入力される。制御部２０が電源キーの操作信号を検出すると、制御部２０は図３のステータスが「電源オン」が設定されているかどうかを判定し（Ｓ１１）、「電源オン」が設定されていない場合には、次に、「電源オン保留」が設定されているかどうかを判定し（Ｓ１２）、「電源オン保留」が設定されていると判定した場合には、次に、操作パネル２８に制御信号を供給し、「電源オン保留」を示す表示部２８ａを点灯して「電源オン保留」の状態にあることをユーザーに知らせる（Ｓ１７）。そして、ユーザーにレンズカバー３１を閉じることを促す。
【００２５】
図５はレンズカバー３１が閉じられたときの処理を示すフローチャートである。
制御部２０はレンズカバー検出手段３２の出力に基づいてレンズカバー３１が閉じられたことを検出すると、図３の「電源オン」が設定されているかどうかを判定し（Ｓ２１）、「電源オン」が設定されていると判定した場合には、その状態は映像を投射している状態であるから（図５の処理Ｓ１４参照）、制御部２０はランプ駆動部３３に制御信号（電力供給停止の指示）を供給して光源１１を消灯させるとともに、ファン駆動部３４に対しては所定時間その駆動を継続させてクールダウンさせる。その後、制御部２０は電源回路３６に対して制御信号を供給して電圧Ｖ２及びＶ３の出力を停止させる（Power off）（Ｓ２２）。また、「電源オン」が設定されていないと判定した場合には、次に、「電源オン保留」が設定されているかどうかを判定し（Ｓ２３）、「電源オン保留」が設定されていると判定したときに、及び上記の処理（Ｓ２２）の後、「電源オフ」を設定する（Ｓ２４）。また、その処理（Ｓ２４）の後、又は上記の判定（Ｓ２１）において「電源オン保留」が設定されていないと判定した場合には処理を終了する。
【００２６】
図４及び図５のフローチャートにおいては、最初に電源キーを操作したときには、上記の処理（Ｓ１１）〜（Ｓ１４）がなされ、映像が投射され、そのとき「電源オン」が設定される。そして、電源キーを再び操作したときには、上記の処理（Ｓ１１）、（Ｓ１５）、（Ｓ１６）がなされ、映像の投射が終了し、そのとき「電源オン保留」が設定される。この「電源オン保留」が設定されている状態で、レンズカバー３１が閉じられると、「電源オフ」がセットされる（Ｓ２４）。そして、レンズカバー３１が開かれ、電源キーが再び操作されると、電源を投入する処理をする（Ｓ１１〜Ｓ１４）。但し、レンズカバー３１を閉じることなく電源キーを再び操作したときには、「電源オン保留」が設定されたままなので、「電源オン保留」の状態であることを表示部２８ａに表示させて終了する。つまり、このときは、電源キーの操作を無効になる。
【００２７】
なお、図５のフローチャートにおいては、上記の処理（Ｓ２１）と処理（２２）との間に、次の第１の処理と第２の処理とを挿入するようにしてもよい。即ち、第１の処理においては、レンズカバー３１の開状態を検出したかどうかという判定をし、仮にレンズカバー３１の開状態を検出したという判定をした場合にはそのまま終了する。第２の処理においては、上記の判定において、仮にレンズカバー３１の開状態を検出しない（閉状態のままである）という場合には所定時間（例えば５秒程度）が経過したかどうかという判定をし、所定時間が経過していない場合には上記の第１の処理に戻り、所定時間を経過した場合には上記の処理（Ｓ２２）に移行する。このように第１の処理と第２の処理とを挿入した場合には、仮に、映像の投射中に、レンズカバー３１を誤って閉じた場合にはレズカバー３１を直ちに開くことにより映像の投射を継続させることができる。
【００２８】
以上のように、本実施形態においては、光源１１等への電源供給を停止させて投射光学系１３による映像の投射を停止した後は、レンズカバー３１が閉状態及び開状態を経由をしなければ投射光学系１３による映像の投射が開始できないようにしたので、電源オフ後に電源キーを操作しても光源１１等に電源が供給できなくなり、このため、幼児等が誤って電源キーを操作しても電源が投入されなくなり、投射レンズ１３ａを覗き込んで目を傷めるような危険がなくなっている。また、「電源オン」、「電源オン保留」及び「電源オフ」のステータスを設け、これらのステータスを利用して上記の制御を行うようにしたので、簡単な処理で本発明の目的を達成することができる。
また、本実施形態においては、「電源オン保留」のステータスが設定されていると、その状態を表示部２８ａに表示させるようにしたので、レンズカバー３１を閉じてからでないと、電源が投入できないことをユーザーに示唆することが可能になっている。
【００２９】
なお、上記の説明においては、レンズカバー３１はスライド式の例について説明したが、キャップ式のものであってもよい。また、上記の説明においては、液晶ライトバルブ１２を用いて、光源１１から射出された光を変調したが、本発明はこれに限らず、他の空間光変調器を用いても良く、例えば、半導体基板の上に敷き詰められた微小面積のミラーの傾きを映像データに基づいて制御することによって映像を投写するＤＭＤ（Digital Micro Mirror Device：登録商標）を用いてもよい。
【図面の簡単な説明】
【００３０】
【図１】実施形態１に係るプロジェクタの構成を示すブロック図。
【図２】プロジェクタの斜視図。
【図３】電源オン、電源オン保留及び電源オフのステータスの説明図。
【図４】電源キーを操作したときの処理を示すフローチャート。
【図５】レンズカバーの閉状態を検出したときの処理を示すフローチャート。
【符号の説明】
【００３１】
１１ 光源、１２ 液晶ライトバルブ、１３ 投射光学系、１４ 液晶ライトバルブ駆動部、２０ 制御部、２１ 記憶部、２２ 操作信号処理部、２３ 映像入力部、２４ 映像信号処理部、２５ 台形歪み補正処理部、２６ フォーカス制御部、２７ ズーム制御部、２８ 操作パネル、２９ フレームメモリ、３１ レンズカバー、３２ レンズカバー検出手段、３３ ランプ駆動部、３４ ファン駆動部、３５ ファン、３６ 電源回路。
【図１】
2008116628.tif 000003
【図２】
2008116628.tif 000004
【図３】
2008116628.tif 000005
【図４】
2008116628.tif 000006
【図５】
2008116628.tif 000007